(57)【要約】      （修正有）【課題】配管のフランジ接続部のガスケット交換等の作業で、かまし物を入れたり、二つ目のクサビを打ち込んで一つ目のクサビをはずしたりする必要がなくなり、作業に十分な開口ができ、一度にガスケット面の全面の掃除、点検等の作業ができる。【解決手段】フランジの開口のためのクサビを二段重ねにした治具で、一つ目のクサビは、側面は不等辺直角三角形で平面は長方形のクサビを側面において、直角をつくる辺の長辺を水平に、短辺を上方向にし先端部を設け、先端部に連続して水平方向にＬ形のストッパー部を設けて、切断面の中央に上り勾配のついた溝を設ける。二つ目のクサビは、側面は不等辺三角形で平面は長方形のクサビを側面において、最短辺を垂直に、最長辺を下にし、鋭端部を垂直に切断して先端部を設け、上の斜辺と垂直辺の交点近傍に突起部を設ける。一つ目のクサビの溝に、二つ目のクサビを溝の上り勾配の方向に摺動させてフランジを開口する。【選択図】図１
2011174599.tif 000002
【特許請求の範囲】
【請求項１】
一つ目のクサビは、側面は不等辺直角三角形で平面は長方形のクサビを側面において、直角をつくる辺の長辺を水平に、短辺を上方向にし、鋭端部を垂直に切断して先端部を設け、先端部に連続して水平方向にＬ形のストッパー部を設けて、斜辺の中央より上を水平に切断し、切断面の中央に底面が鋭端部だった方向に上り勾配のついた溝を設ける。
二つ目のクサビは、側面は不等辺三角形で平面は長方形のクサビを側面において、最短辺を垂直に、最長辺を下にし、鋭端部を垂直に切断して先端部を設け、上の斜辺と垂直辺の交点近傍に突起部を設ける。一つ目のクサビの溝に、二つ目のクサビを溝の上り勾配の方向に摺動させてフランジを開口する治具。
【発明の詳細な説明】
【技術分野】
【０００１】  この発明は、配管のフランジ接続部のガスケット交換等に使用するもので、フランジの開口のためにフランジ間に打ち込むクサビを二段重ねにした配管のフランジ開口冶具に関するものである。
【背景技術】
【０００２】  従来は、配管のフランジ接続部のガスケット交換等の作業で、クサビをガスケット面の掃除、点検等に必要な間隔を確保するまで打ち込むと、クサビの先端部がガスケット面まで達し、その部分の掃除、点検等の作業ができないため、ガスケット面の外側にかまし物を入れてクサビをはずし、掃除、点検、およびガスケット等の挿入後、クサビの先端部に工具等を重ねて打ち込んでかまし物をはずしたり、先端部がガスケット面に達しない二つ目のクサビを打ち込んで、一つ目のクサビをはずし、ガスケット面の掃除、点検、およびガスケット等の挿入後、二つ目のクサビをはずしたりして作業をしていた。
【発明の概要】
【発明が解決しようとする課題】
【０００３】  これは次のような欠点があった。
（イ）ガスケット面の外側にかまし物を入れてクサビをはずす方法は、かまし物の着脱作業があり、手間がかかっていた。
（ロ）打ち込んでも先端部がガスケット面にかからない二つ目のクサビを打ち込んで一つ目のクサビをはずす方法は、二つ目のクサビを打ち込んだ時、一つ目のクサビがはずれて落下する危険があり、高所における作業の安全性に問題があった。また、クサビを打ち直しする手間がかかっていた。
本発明は、これらの欠点を除くためになされたものである。
【課題を解決するための手段】
【０００４】  一つ目のクサビは、側面は不等辺直角三角形で平面は長方形のクサビを側面において、直角をつくる辺の長辺を水平に、短辺を上方向にし、鋭端部を垂直に切断して先端部を設け、先端部に連続して水平方向にＬ形のストッパー部を設けて、斜辺の中央より上を水平に切断し、切断面の中央に底面が鋭端部だった方向に上り勾配のついた溝を設ける。【０００５】  二つ目のクサビは、側面は不等辺三角形で平面は長方形のクサビを側面において、最短辺を垂直に、最長辺を下にし、鋭端部を垂直に切断して先端部を設け、上の斜辺と垂直辺の交点近傍に突起部を設ける。【０００６】  一つ目のクサビの溝に、二つ目のクサビを溝の上り勾配の方向に摺動させてフランジを開口する。
本発明は、以上のような構成よりなる配管のフランジ開口冶具である。
【発明の効果】
【０００７】  ガスケット面の外側にかまし物を入れたり、二つ目のクサビを打ち込んで一つ目のクサビをはずしたりする必要がなくなり、クサビの先端部がガスケット面に達しなく、作業に十分な開口ができるため、一度にガスケット面の全面の掃除、点検等の作業が可能になるとともに、ガスケット等の挿入が簡単になった。また、二つ目のクサビとフランジとの角度が小さくなって、クサビがはずれにくくなった。
以上により、作業時間の短縮ができコストダウンを図ることができる。
【図面の簡単な説明】
【０００８】
【図１】本発明の斜視図
【図２】一つ目のクサビの側面図
【図３】一つ目のクサビの平面図
【図４】二つ目のクサビの側面図
【図５】二つ目のクサビの平面図
【図６】本発明の打ち込み前の斜視図
【図７】本発明の打ち込み完了の斜視図
【図８】本発明の打ち込み、およびガスケット等の挿入完了断面図
【発明を実施するための形態】
【０００９】  一つ目のクサビは、側面は不等辺直角三角形で平面は長方形のクサビを側面において、直角をつくる辺の長辺を水平に、短辺を上方向にし、鋭端部を垂直に切断して先端部（１）を設け、先端部に連続して水平方向にＬ形のストッパー部（２）を設けて、斜辺の中央より上を水平に切断（４）し、切断面の中央に底面が鋭端部だった方向に上り勾配のついた溝（６）を設ける。
【００１０】  この溝（６）により二つ目のクサビは左右にずれなくなり、底面に勾配をつけたことと、二つ目のクサビの最長辺（９）の勾配との相乗効果により、少ない打ち込み量で大きな開口ができる。
【００１１】  二つ目のクサビは、側面は不等辺三角形で平面は長方形のクサビを側面において、最短辺を垂直に、最長辺を下にし、鋭端部を垂直に切断して先端部（７）を設け、上の斜辺と垂直辺の交点近傍に突起部（１０）を設ける。
【００１２】  一つ目のクサビの溝（６）の底面に、二つ目のクサビの下勾配部（９）を溝の上り勾配の方向に摺動させてフランジを開口する。
【実施例】
【００１３】  図６において、垂直にした配管（Ａ），（Ａ）に取り付けられたフランジ（Ｂ），（Ｂ）間を開口する例を説明する。スタッドボルト（Ｄ）の下側のナットは全て取り外された状態で、一つ目のクサビの先端部（１）をフランジ（Ｂ），（Ｂ）間の隙間（Ｃ）に一つ目のクサビのストッパー部（２）が下側のフランジ（Ｂ）の側面に当たるまで、一つ目のクサビの打撃部（５）をハンマーで打ち込む。二つ目のクサビ突起部（１０）を上にして一つ目のクサビの溝（６）に入れ、上側のフランジ（Ｂ）と接している一つ目のクサビの溝（６）部に、二つ目のクサビの先端部（７）を挿入して、二つ目のクサビの打撃部（１１）をハンマーで打ち込む。二つ目のクサビの打ち込み量は作業状況により調整する。図７は二つのクサビの打ち込み完了斜視図で、図８は二つのクサビの打ち込み、およびガスケット等の挿入完了断面図である。ガスケット面の掃除、点検等の作業が終了後、ガスケット等（Ｅ）の挿入を行い、二つ目のクサビの突起部（１０）をハンマーで開口の反対方向に打撃して抜き、一つ目のクサビは側面を交互に打撃して抜く。
【産業上の利用可能性】
【００１４】  本発明は、配管に取り付けられたフランジ接続部のガスケット交換等に使用すると便利で、ガスケット面の外側にかまし物を入れたり、二つ目のクサビを打ち込んで一つ目のクサビをはずしたりする必要がなくなり、作業に十分な開口ができて一度にガスケット面の全面の掃除、点検等の作業が可能になるとともに、ガスケット等の挿入が簡単にできる。また、二つ目のクサビとフランジとの角度が小さくなって、クサビがはずれにくくなった、フランジ開口冶具に関するものである。
【符号の説明】
【００１５】  １…一つ目のクサビの先端部
２…一つ目のクサビのストッパー部
３…一つ目のクサビの勾配部
４…一つ目のクサビの水平切断部
５…一つ目のクサビの打撃部
６…一つ目のクサビの溝
７…二つ目のクサビの先端部
８…二つ目のクサビの上勾配部
９…二つ目のクサビの下勾配部
１０…二つ目のクサビの突起部
１１…二つ目のクサビの打撃部
Ａ…配管
Ｂ…配管に取り付けられたフランジ
Ｃ…フランジとフランジの隙間
Ｄ…スタッドボルト
Ｅ…ガスケット等
【図１】
2011174599.tif 000003
【図２】
2011174599.tif 000004
【図３】
2011174599.tif 000005
【図４】
2011174599.tif 000006
【図５】
2011174599.tif 000007
【図６】
2011174599.tif 000008
【図７】
2011174599.tif 000009
【図８】
2011174599.tif 000010